(57)【要約】【課題】過酷な環境下でも簡単に利用できる保存食品とその容器兼食器を提供する。【解決手段】料理を２種のレトルトパウチに分けて封入し、レトルト処理する。襠つきレトルトパウチに入った流動性食品の中に、別のレトルトパウチに入った非流動性食品を移す。襠つきレトルトパウチは食器を兼ね、開封手段と切断手段を有する。最後に襠（５）つきレトルトパウチの高さを食器に適した高さに調節して、食器を使って食事する。【選択図】図５
2014073863.tif 000002
【特許請求の範囲】
【請求項１】
レトルトパウチ（１）、レトルトパウチ（２）、食器（３）を含むレトルト食品用容器兼食器セットであって、
上記レトルトパウチ（１）は、非流動性食品のみを封入するためのものであり、上記レトルトパウチ（１）には密封後のレトルトパウチ（１）を開封するための開封手段（４）が設けられ、
上記レトルトパウチ（２）は、流動性食品を含む食品を封入するためのものであり、しかも上記レトルト食品の喫食時の器として使用されるものであって、上記レトルトパウチ（２）の少なくとも底部に襠（５）が設けられ、さらに、上記レトルトパウチ（２）の上部には、密封後のレトルトパウチ（２）を開封するための開封手段（６）と、上記開封手段（６）よりも底部側に位置する切断手段（７）とが設けられていることを特徴とする、
レトルト食品用容器兼食器セット。
【請求項２】
レトルトパウチ（１）に非流動性食品のみを封入した後にレトルト処理されたものである食品パック（８）、レトルトパウチ（２）に流動性食品を含む食品を封入した後にレトルト処理されたものである食品パック（９）、食器（３）を含む容器兼食器付きレトルト食品セットであって、
上記食品パック（８）は、非流動性食品のみが封入されたものであり、上記食品パック（８）には開封手段（４）が設けられ、
上記食品パック（９）は、流動性食品を含む食品が封入されたものであり、しかも上記レトルト食品の喫食時の器として使用されるものであって、上記食品パック（９）の少なくとも底部に襠（５）が設けられ、さらに、上記食品パック（９）の上部には、開封手段（６）と、上記開封手段（６）よりも底部側に位置する切断手段（７）とが設けられていることを特徴とする、
容器兼食器付きレトルト食品セット。
【請求項３】
請求項２に記載の容器兼食器付きレトルト食品セットを一つの容器（１０）に収納したことを特徴とする、容器兼食器付きレトルト食品。
【請求項４】
レトルトパウチ（１）に非流動性食品のみを封入した後にレトルト処理されたものである食品パック（８）、レトルトパウチ（２）に流動性食品を含む食品を封入した後にレトルト処理されたものである食品パック（９）、食器（３）を含む容器兼食器付きレトルト食品セットの使用方法であって、
上記食品パック（８）は、非流動性食品のみが封入されたものであり、上記食品パック（８）には開封手段（４）が設けられ、
上記食品パック（９）は、流動性食品を含む食品が封入されたものであり、しかも上記レトルト食品の喫食時の器として使用されるものであって、上記食品パック（９）の少なくとも底部に襠（５）が設けられ、さらに、上記食品パック（９）の上部には、開封手段（６）と、上記開封手段（６）よりも底部側に位置する切断手段（７）とが設けられ、
以下の操作を含むことを特徴とする、容器兼食器付きレトルト食品セットの使用方法。
操作１：食品パック（８）を開封手段（４）によって開封する。
操作２：食品パック（９）の襠（５）を広げ、次いで食品パック（９）を開封手段（６）によって開封する。
操作３：操作１で開封された食品パック（８）内の非流動性食品を、操作２で開封された食品パック（９）内に移す。
操作４：操作３を終えた食品パック（９）の上部を、切断手段（７）によって切り取る。
【請求項５】
請求項４に記載の使用方法を含む、給食方法。
【発明の詳細な説明】
【技術分野】
【０００１】
本発明は、レトルト食品用容器兼食器セット、容器兼食器付きレトルト食品セット、容器兼食器付きレトルト食品、容器兼食器付きレトルト食品セットの使用方法、該使用方法を含む、レトルト食品の提供方法に関する。
【背景技術】
【０００２】
長期保存できる食品は、スポーツやレジャー、災害対策、宇宙での長期滞在のような過酷な環境下での活動に便利である。長期保存できる食品としては、各種の缶詰食品、ビン詰め食品、インスタント食品、レトルト食品が知られているが、ほとんどの食品の保存可能期間は最長２年程度であり、災害用備蓄品に求められる５年以上の保存が可能な食品は数少ない。このため、現在の保存食品には、さらに長い保存可能期間が求められている。
災害用備蓄品としては、乾パン、α米が普及しており、これらは緊急的な短期の避難生活には役立つ。しかし、これらの風味は日常食に比べて劣り、日常生活を取り戻すことを目的とした比較的長い避難生活には向かない。しかも、これらは病人や乳幼児、老人には食べ難い食品である。
麺類は、アジア圏を中心に広く普及している食品で、栄養価が高く、病人や乳幼児、老人にも食べやすい食品である。このため、保存可能な麺類として、様々な製品が普及している。例えば、乾燥麺やインスタントラーメン、常温保存可能な半生麺などが利用されている。しかし、これらを食べるためには水と加熱設備が必要であり、電気、水道、ガスなどのライフラインが停止した災害時には利用することができない。したがって、これらの保存可能な麺類は、スポーツやレジャー、災害対策、過酷な屋外活動などの様々な需要を完全には満たすことができない。
レトルト処理は、薬剤を使わずに、加熱によって食品を滅菌する方法として広く用いられている。十分にレトルト処理された食品の長期保存性は高い。しかし、麺類はレトルト耐性が低いため、レトルト処理された麺類が溶融する、変形する、塊状化するなどの問題があり、つゆ又はスープに浸した状態で麺をレトルト処理せざるを得なかった。
このような問題を解決するために、本発明者は、特殊な工程を設けることによって食感を損なうことなく食品レトルト処理する方法と、この方法により得られたレトルト食品を、特願２０１２−１４６６４３号、特願２０１２−１４６６４４号として既に提案している。
しかしながら、災害避難地や屋外などの過酷な環境において保存食品を効果的に利用するためには、保存食品の品質向上だけでなく、保存食品の取り扱い性も向上する必要がある。このため、保存食品の形態や包装を改善する必要がある。
【先行技術文献】
【特許文献】
【０００３】
【特許文献１】特開平１１−７５７４８号公報
【特許文献２】特開平９−２２１１５０号公報
【発明の概要】
【発明が解決しようとする課題】
【０００４】
特許文献１には、麺、スープ、具を別々に包装して容器内に収納した即席カップ麺が記載されている。容器は食器を兼ねている。取り出した麺、スープ、具と熱湯とを容器に入れ、容器全体を電子レンジで加熱することによって、鍋や食器を一切使用せずに麺を調理することができる。しかしながら、この即席カップ麺の使用には、電子レンジと熱湯が必須であるため、災害避難地や屋外で使用する際には利便性に欠ける。
特許文献２には、別種の内容物を収納する二連袋の形態をとるレトルトパウチが記載されている。このレトルトパウチには別種の食品が収納される。各食品は、使用時にレトルトパウチ内で混合される。このようなレトルトパウチは収容された食品を変質させずに長期保存し、各食品を簡便な方法で混合することができる。しかしながら、食品を喫食する際には、レトルトパウチに収納された食品を食器に移し替える必要がある。したがって、災害避難地や屋外で使用する際には利便性に欠ける。
【課題を解決するための手段】
【０００５】
本発明は、過酷な環境にあっても簡単に開封し喫食することのできる、取り扱い性の改善された長期保存食品の提供を目的とする。本発明者は上記目的を達成すべく鋭意検討した結果、レトルト食品を短時間で簡単に食事に利用することを可能とする、レトルト食品用容器兼食器セットを開発した。このレトルト食品用容器兼食器セットを用いて、過酷な環境下でも、特別な道具を用いることなく簡単に利用できる、容器兼食器付きレトルト食品セットが提供される。またこのような容器兼食器付きレトルト食品セットを利用することによって、過酷な環境下でも、効率よく、様々な人数の使用者に食事を提供することができる。
【０００６】
すなわち第１の本発明は、レトルトパウチ（１）、レトルトパウチ（２）、食器（３）を含むレトルト食品用容器兼食器セットであって、上記レトルトパウチ（１）は、非流動性食品のみを封入するためのものであり、上記レトルトパウチ（１）には密封後のレトルトパウチ（１）を開封するための開封手段（４）が設けられ、上記レトルトパウチ（２）は、流動性食品を含む食品を封入するためのものであり、しかも上記レトルト食品の喫食時の器として使用されるものであって、上記レトルトパウチ（２）の少なくとも底部に襠（５）が設けられ、さらに、上記レトルトパウチ（２）の上部には、密封後のレトルトパウチ（２）を開封するための開封手段（６）と、上記開封手段（６）よりも底部側に位置する切断手段（７）とが設けられていることを特徴とする、レトルト食品用容器兼食器セットである。
第２の本発明は、レトルトパウチ（１）に非流動性食品のみを封入した後にレトルト処理されたものである食品パック（８）、レトルトパウチ（２）に流動性食品を含む食品を封入した後にレトルト処理されたものである食品パック（９）、食器（３）を含む容器兼食器付きレトルト食品セットであって、上記食品パック（８）は、非流動性食品のみが封入されたものであり、上記食品パック（８）には開封手段（４）が設けられ、上記食品パック（９）は、流動性食品を含む食品が封入されたものであり、しかも上記レトルト食品の喫食時の器として使用されるものであって、上記食品パック（９）の少なくとも底部に襠（５）が設けられ、さらに、上記食品パック（９）の上部には、開封手段（６）と、上記開封手段（６）よりも底部側に位置する切断手段（７）とが設けられていることを特徴とする、容器兼食器付きレトルト食品セットである。
第３の本発明は、上記容器兼食器付きレトルト食品セットを一つの容器（１０）に収納したことを特徴とする、容器兼食器付きレトルト食品である。
第４の本発明は、レトルトパウチ（１）に非流動性食品のみを封入した後にレトルト処理されたものである食品パック（８）、レトルトパウチ（２）に流動性食品を含む食品を封入した後にレトルト処理されたものである食品パック（９）、食器（３）を含む容器兼食器付きレトルト食品セットの使用方法であって、上記食品パック（８）は、非流動性食品のみが封入されたものであり、上記食品パック（８）には開封手段（４）が設けられ、上記食品パック（９）は、流動性食品を含む食品が封入されたものであり、しかも上記レトルト食品の喫食時の器として使用されるものであって、上記食品パック（９）の少なくとも底部に襠（５）が設けられ、さらに、上記食品パック（９）の上部には、開封手段（６）と、上記開封手段（６）よりも底部側に位置する切断手段（７）とが設けられ、以下の操作を含むことを特徴とする、容器兼食器付きレトルト食品セットの使用方法；操作１：食品パック（８）を開封手段（４）によって開封する。操作２：食品パック（９）の襠（５）を広げ、次いで食品パック（９）を開封手段（６）によって開封する。操作３：操作１で開封された食品パック（８）内の非流動性食品を、操作２で開封された食品パック（９）内に移す。操作４：操作３を終えた食品パック（９）の上部を、切断手段（７）によって切り取る、である。
第５の本発明は、請求項４に記載の使用方法を含む、食事提供方法である。
【発明の効果】
【０００７】
本発明のレトルト食品セットでは、流動性食品と非流動性食品を別々に包装するため、流動性食品と非流動性食品の固有の風味を喫食時まで保持することができ、使用者の好みに応じた食事を可能とする。例えば麺類では、麺とつゆを別々に包装するため、麺の風味とつゆの風味が独立して保持される。また例えばスープとパンを別々に包装するため、使用者がスープとパンを好みの割合、順序で食べることができる。
しかも、本発明のレトルト食品セットでは、流動性食品と非流動性食品を別々に包装するため、流動性食品と非流動性食品のそれぞれに最適な条件でレトルト処理できる。例えば小麦を主体とする麺類を封入したレトルトパウチを、低温殺菌、静置、高温殺菌をこの順で行うことによって、麺の風味を維持しつつ十分に滅菌することができる。その一方、つゆなどの流動性食品を封入したレトルトパウチは高温殺菌だけを行い、低コストで十分に滅菌することができる。
そして、本発明のレトルト食品セットの使用においては、流動性食品を封入した安定性に優れるレトルトパウチ内に非流動性食品を移動するため、流動性食品の飛散や流出の恐れが無い。さらに本発明のレトルト食品セットの使用においては、食器を兼ねるレトルトパウチの上部を切り取ってから喫食するため、日常使用する食器に近い形状の容器兼食器で快適に喫食することができる。しかも、本発明のレトルト食品セットを利用する際に、箸などの食器、調理設備や水を調達する必要が無い。このため本発明のレトルト食品セットは、過酷な環境下での利便性が高い。
このような本発明のレトルト食品セットを用いると、簡単な操作で多くの人数分の食事を提供することができる。
【図面の簡単な説明】
【０００８】
【図１】本発明のレトルトパウチ（１）の例。
【図２】本発明のレトルトパウチ（２）の例。（ａ）は正面図、（ｂ）は側面図。
【図３】本発明の食品パック（８）の例である、うどんパック（８）。（ａ）は正面図、（ｂ）は側面図。
【図４】本発明の食品パック（９）の例である、カレーパック（９）。（ａ）は正面図、（ｂ）は側面図。
【図５】カレーうどんの場合の、本発明の操作１〜４を示す概略図。
【図６】本発明の操作４で切り取られたカレーパック（９）の上部の例。
【図７】本発明の操作１〜４によって完成したカレーうどんの例。
【図８】比較例１の操作を示す概略図。
【図９】食事の際の紙製持ち手（１４）の扱い方を示す概略図。
【図１０】本発明の容器兼食器付きレトルト食品セットの例。（ａ）は正面図、（ｂ）は側面図。
【発明を実施するための形態】
【０００９】
［レトルトパウチ（１）］
本発明のレトルトパウチ（１）には、非流動性食品のみを封入するための容器である。非流動性食品は、調理済みの固形状の主食であり、一般的には調理済みの麺類、パン、米飯類である。その材質は、レトルト処理に耐え、内容物を変質させることなく長期保存できるものである。レトルトパウチ（１）としては、基材フィルム層、バリア層、シーラント層を含む耐熱性積層フィルムから得られる、公知のレトルトパウチ用積層フィルムが制限なく使用できる。
基材フィルム層は、耐熱樹脂製である。具体的にはポリプロピレン、ポリエステル、ポリアミド、ポリカーボネート等のフィルムである。中でもポリエチレンテレフタレート、延伸ポリプロピレンのフィルムが好ましい。
バリア層は、酸素や水蒸気の透過を阻止する層である。バリア層としては、アルミニウム箔、無機化合物の薄膜が設けられたポリエステルフィルムやポリアミドフィルム、エチレンビニルアルコールフィルムやポリ塩化ビニリデンフィルムなどのガスバリア製フィルム等を用いる。中でも、酸化アルミニウム、酸化マグネシウム、酸化ケイ素などの無機化合物の蒸着膜が形成されたポリエチレンテレフタレートフィルムが好ましい。
シーラント層は、積層フィルム同士を接着してレトルトパウチに成形したり、レトルトパウチを密封したりする際に、互いに溶着する層である。シーラント層としては、ヒートシール性樹脂を用いる。具体的には、ポリエチレン系樹脂フィルム、ポリプロピレン系樹脂フィルム、エチレン−プロピレン共重合体、これらの変性物等を使用する。
レトルトパウチ（１）を形成する積層フィルムには、さらに、各層の密着性を高めるための接着層やプライマー層、端材からなるリサイクル層、ロット番号や商品名を表示するための印刷層を設けることができる。
本発明のレトルトパウチ（１）は開封手段（４）を有する。開封手段（４）は、レトルトパウチ（１）に非流動性食品のみを封入し、レトルト処理されたものである食品パック（８）を開封する時に用いられる。開封手段（４）は、ハサミやカッターを用いることなく、簡単にパウチを切り取ることを可能とする手段である。一般的には、レトルトパウチ（１）の端部に設けられた切込線またはノッチ、レトルトパウチ（１）の表面に設けられたハーフカット線またはエンボス加工、レトルトパウチ（１）を構成するフィルムの延伸処理、及びこれらの組み合わせから選択される。
レトルトパウチ（１）の形状は、一般的なレトルトパウチの形状であれば、如何様でもよい。典型的には、前後２枚の耐熱性積層フィルムが開口部を除く端部でヒートシールされた袋状の形状とする。レトルトパウチ（１）の容量は、レトルト食品の使用目的と種類に応じて、適宜調節される。
【００１０】
［レトルトパウチ（２）］
本発明のレトルトパウチ（２）は、流動性食品を含む食品を封入するためのものである。流動性食品を含む食品は、一部または全部が流動性を有する調理済みの食品であり、食品パック（８）内の主食に対する副食あるいは調味成分に位置づけられる食品である。したがって、レトルトパウチ（１）、（２）のそれぞれに封入する食品は、レトルト食品によって適宜選択される。
そして、本発明のレトルトパウチ（２）は、上記レトルト食品の喫食時の器としても使用される。
レトルトパウチ（２）は、レトルトパウチ（１）と同様の積層フィルムから得られる。
本発明のレトルトパウチ（２）の底部から側部にかけて、襠（５）が設けられる。襠（５）によって底面が広がるため、本発明のレトルトパウチ（２）は自立可能となる。レトルトパウチ（２）を自立させる形状であれば、襠（５）の形状は如何様でもよい。襠（５）の形成方法は、公知の方法なら如何様でもよい。襠（５）は、典型的には舟形で、前後２枚の耐熱性積層フィルムの底面から側部にかけて、襠用の積層フィルムを挿入してヒートシールすることにより形成できる。
レトルトパウチ（２）の上部には開封手段（６）が設けられる。開封手段（６）は、レトルトパウチ（１）に設けられた開封手段（４）と同様のものでよい。開封手段（６）は、レトルトパウチ（２）に流動性食品を含む食品を封入した後にレトルト処理されたものである食品パック（９）を開封する時に用いられる。
さらに、レトルトパウチ（２）には、上記開封手段（６）よりも底部側に、切断手段（７）が設けられる。切断手段（７）は開封手段（４）、開封手段（６）と同様に、切込線またはノッチ、ハーフカット線またはエンボス加工、延伸フィルム、及びこれらの組み合わせから選択される。切断手段（７）は、開封手段（６）の底側に残るレトルトパウチ（２）を、その上部でさらに切断するための手段である。切断手段（７）は、開封された食品パック（９）の高さあるいは深さを喫食に適する高さあるいは深さに調節する時に用いられる。
レトルトパウチ（２）の容量は、レトルトパウチ（１）と同様に、レトルト食品の使用目的と種類に応じて、適宜調節される。
【００１１】
［食器（３）］
食器（３）は、レトルトパウチ（１）、（２）に収納された食品を合わせたレトルト食品を食べるための食器である。レトルト食品のそれぞれに適した食器であれば、どのようなものでもよい。携帯や保管に便利な軽量使い捨て食器が好ましい。具体的には、割り箸や、使い捨てのフォーク、スプーン、蓮華など、あるいはこれらの組み合わせである。食器（３）はフィルムなどで包装したものであってよい。
【００１２】
［レトルト食品用容器兼食器セット］  
本発明のレトルト食品用容器兼食器セットは、上記レトルトパウチ（１）、レトルトパウチ（２）、食器（３）を組み合わせたものである。
【００１３】
［食品パック（８）］
レトルトパック（１）に非流動性食品のみを封入してレトルト処理することにより、本発明の食品パック（８）が得られる。非流動性食品は、調理済みの固形状の主食であり、一般的には調理済みの麺類、パン、米飯類であり、レトルト食品を用いて提供するレトルト料理に応じて選択される。例えばうどん料理を提供する場合には、食品パック（８）に蒸しうどんを封入する。例えばパスタ料理を提供する場合には、食品パック（８）に茹で上げたパスタを封入する。非流動性食品の封入におけるレトルトパック（１）の密封方法は、公知の方法で行う。一般的にはヒートシールする。
レトルト処理は、非流動性食品の風味を損なわず、かつ、非流動性食品を長期保存が可能となるような殺菌が達成される条件で行う。例えばうどん、パンの場合には、８５〜９８℃で加熱し、次いで冷暗所に整置し、さらに１１５〜１２５℃で加熱すると、うどんやパンの風味を損なうことなく滅菌できる。
【００１４】
［食品パック（９）］
レトルトパウチ（２）に流動性食品を含む食品を封入した後にレトルト処理することにより、本発明の食品パック（９）が得られる。流動性食品は、一部または全部が流動性を有する調理済みの食品であり、食品パック（８）内の主食に対する副食あるいは調味成分である。流動性食品は、レトルト食品を用いて提供するレトルト料理に応じて選択される。例えばうどん料理を提供する場合には、食品パック（９）に、うどん以外の調理済み食品、すなわちつゆや薬味を封入する。例えばきつねうどんを提供する場合には、つゆと油揚げを食品パック（９）に封入する。例えばパスタ料理を提供する場合には、食品パック（９）にはソースを封入する。
非流動性食品の封入におけるレトルトパック（２）の密封方法は、公知の方法で行う。一般的にはヒートシールにより密封する。
レトルト処理は、流動性食品の風味を損なわず、かつ、流動性食品を長期保存が可能となるような殺菌が達成される条件で行う。例えば、うどんのつゆやパスタのソースを封入した場合には、１１０〜１２５℃で５〜３０分間、加熱する。
食品パック（９）は、襠（５）を有する。襠（５）は、レトルトパウチ（２）の製造時に形成されたものである。襠（５）によって、食品パック（９）は自立する。その結果、食品パック（９）の開封、食品パック（９）内に食品パック（８）内の食品を移す作業のいずれをも、誰もが簡単に行うことができる。
食品パック（９）には開封手段（６）が設けられている。開封手段（６）はレトルトパウチ（１）の製造時に設けられたものである。開封手段（６）によって食品パック（９）を開封した後、開封された食品パック（９）に食品パック（９）から取り出した非流動性食品を移す。この際、食品パック（９）内の流動性食品が漏れないようにするため、開封手段（６）から食品パック（９）の底までの十分な距離が確保されなければならない。
食品パック（９）には、さらに、開封手段（６）よりも底側に切断手段（７）が設けられている。切断手段（７）は、開封手段（４）、（６）と同様に、切込線またはノッチ、レトルトパウチ（１）の表面に設けられたハーフカット線またはエンボス加工、レトルトパウチ（１）を構成するフィルムの延伸処理、及びこれらの組み合わせで形成される。食品パック（８）に食品パック（９）内の食品を移した後、切断手段（７）によって食品パック（９）の上部をさらに切り取る。その結果、食品パック（９）の高さが喫食に適した最終的な高さに調節される。最終的な食品パック（９）の高さあるいは深さは、切り取り時に食品パック（９）の内容物がこぼれることなく、しかも、食事時に食器（３）で食品パック（９）内の食品を取り出しやすい、高さあるいは深さである。
このように、食品パック（９）の大きさ、襠（５）の形状、開封手段（６）、切断手段（７）の位置は、食品パック（８）、（９）内の食品の性状、分量に応じて適宜調節される。
【００１５】
［容器兼食器付きレトルト食品セット］
本発明の容器兼食器付きレトルト食品セットは、上記食品パック（８）、食品パック（９）、食器（３）を組み合わせたものである。食品パック（８）、（９）内の食品量と食器（３）の数を適当に設定すれば、一組のセットで様々な人数に応じた食事を提供できる。
［容器兼食器付きレトルト食品］
本発明の容器兼食器付きレトルト食品は、上記容器兼食器付きレトルト食品セットを一つの容器（１０）に収納したものである。容器（１０）は、上記容器兼食器付きレトルト食品セットの保管、運搬に適した材料と形状のものであれば、如何様でもよい、一般的には紙製の箱、樹脂フィルム製の袋が用いられる。一つの容器（１０）内に収納する容器兼食器付きレトルト食品セットの数は、様々に変更できる。１組の容器兼食器付きレトルト食品セットを収納した容器兼食器付きレトルト食品は、個人使用向けのレトルト食品として適しており、多数組の容器兼食器付きレトルト食品セットを収納した容器兼食器付きレトルト食品は、災害時の避難所における給食サービスに適している。
【００１６】
［容器兼食器付きレトルト食品セットの使用方法］
本発明の容器兼食器付きレトルト食品セットは、以下の操作を含む方法によって使用することができる。
・操作１：食品パック（８）を開封手段（４）によって開封する。
・操作２：食品パック（９）の襠（５）を広げ、次いで食品パック（９）を開封手段（６）によって開封する。
・操作３：操作１で開封された食品パック（８）内の非流動性食品を、操作２で開封された食品パック（９）内に移す。
・操作４：操作３を終えた食品パック（９）の上部を、切断手段（７）によって切り取る。
操作２の後、食品パック（９）は襠（５）によって床やテーブルの上で自立する。このため、操作３で食品パック（８）内の流動性食品を含むレトルト食品を食品パック（９）に移す時には、食品パック（９）を支える必要がないか、軽く支えるだけでよい。しかも、操作３では、流動性食品が入った食品パック（９）を動かさずに行うことができるので、食品パック（９）内の流動性食品の飛散を防ぐことができる。操作３によって、食品パック（９）の内部には十分な重さの食品が入るため、操作４では一層安定性が増した食品パック（９）を扱う。このため、切断手段（７）が比較的低い位置にあっても、食品パック（９）の内容物をこぼさずに食品パック（９）の上部を切り取ることができる。操作４によって、食品パック（９）は喫食に適した形状に変化する。例えばカレーライスや麺類を提供する場合には、操作４でボールやどんぶり状の食品パック（９）に完成させる。操作４の後、食品パック（９）の中の食品を食器（３）で簡単に食べることができる。
使用後のレトルトパウチは缶やビンと異なって軽量で嵩張らないので、安全に廃棄することができる。
【００１７】
［容器兼食器付きレトルト食品セットの使用方法を含む、給食方法］
本発明の容器兼食器付きレトルト食品セットの使用方法に従えば、一人分から多人数分までの幅広い量の保存食品を提供することができる。本発明の容器兼食器付きレトルト食品セットを利用すれば、働き手の確保が難しい災害避難施設でも、一度に大勢の避難者に対して給食サービスを行うことができる。
【００１８】
食品パック（８）、（９）を湯煎した後に操作１〜４を行えば、温かい食品を提供することができる。湯煎の際や食事の際、熱い食品パック（８）、（９）を安全に持つために、断熱性の持ち手（１４）を用いることができる。中でも、断熱材を二つ折りにした持ち手（１４）は軽量、小型、低コストであるので、望ましい。このような持ち手（１４）は、例えば、表面が粗い厚紙片を二つ折りしたものや、少なくとも片面を、エンボス加工、起毛材の貼り付け、ゴム状材料の塗工などによって滑り止め加工した段ボール片を、内側が滑り止め効果のある面となるように二つ折りしたものである、紙製持ち手（１４）である。このような紙製持ち手（１４）で食品パック（８）、（９）の上部を挟んで湯から取り出した後に、持ち手（１４）を外し、次に、外した持ち手（１４）で完成した食品パック（９）の側部を挟む。そうすると、熱い食品パック（８）、（９）に直接触れることなく料理を用意し、食事することができる。
【００１９】
以下では本発明の詳細を実施例により説明するが、本発明は何ら実施例に限定されるものではない。
【実施例１】
【００２０】
一食分のカレーうどんを本発明のレトルト食品セットに利用した例である。以下の条件で、レトルトカレーうどん用容器兼食器セット、容器兼食器付きレトルトカレーうどんセットを製造した。
【００２１】
（レトルトパウチ（１）、レトルトパウチ（２）、食器（３））
一食分の蒸しうどんが入る大きさの、襠のない縦約２２ｃｍ、横約１８ｃｍのレトルトパウチ（１）を用意した。レトルトパウチ（１）の両側の幅約１ｃｍのシール部に、開封手段（４）として長さ約０．５ｃｍの切込線（４）を設けた。図１は上記レトルトパウチ（１）を正面から見た概略図である。
一食分のカレーつゆが入る大きさの、底に最大幅約６ｃｍの舟形襠（５）がついた、縦約２２ｃｍ、横約１８ｃｍのレトルトパウチ（２）を用意した。レトルトパウチ（２）の両側のシール部に、切込線（４）と同様の切込線（６）を開封手段（６）として設けた。開封手段（６）よりも約４ｃｍ底側に、切込線（４）、切込線（６）と同様の切込線（７）を、切断手段（７）として設けた。図２は上記レトルトパウチ（２）の概略図であって、（ａ）は正面図、（ｂ）は側面図である。点線部は実際には見えない線を透視したものである。
食器（３）として割り箸と使い捨てスプーンを用意した。
こうして得られたレトルトパウチ（１）、レトルトパウチ（２）、食器（３）を、レトルトカレーうどん用容器兼食器セットとして用いた。
（うどんパック（８）の製造）
うどんの材料を以下に示す。
・小麦粉：市販のうどん粉
・塩：食用塩
・水：水道水
・こんにゃく粉：市販のマンナン粉。凝固剤として貝殻焼成カルシウムが配合されたもの。
・植物性食用油：市販のサラダ油
・カラギーナン（増粘多糖）：市販品
・タピオカ粉：市販品
上記材料を混練し、定法に従って製麺して、生うどんを製造した。この生うどんを茹で、冷水で十分に洗って冷却し、水切りした。水切りした麺を小分けして、図１に示すレトルトパウチ（１）に入れて、開口部をヒートシールにより密閉した。このレトルトパウチ（１）を、温度を９４℃に保った蒸気室内で、３５分加熱した。そして、麺を収納したレトルトパウチ（１）を蒸気室から取りだし、１晩冷暗所に整置した。最後に、麺を収納したレトルトパウチを、温度を１２１℃に保ったレトルト窯で、４分間加熱した。こうして、うどんパック（８）が完成した。図３は上記うどんパック（８）の概略図であって、（ａ）は正面図、（ｂ）は側面図である。
【００２２】
（カレーパック（９）の製造）
うどん用つゆ、カレールー、細かく切った野菜と鶏肉を煮込み、和風カレーを調理した。この和風カレーを、図１に示す襠つきレトルトパウチ（２）に密封し、レトルト処理して滅菌した。こうしてカレーパック（９）が完成した。図４は上記カレーパック（９）の概略図であって、（ａ）は正面図、（ｂ）は側面図である。
（容器兼食器付きレトルトカレーうどんセットの使用）
完成したうどんパック（８）、カレーパック（９）、割り箸（３）を、容器兼食器付きレトルトカレーうどんセットとして利用した。まず、切込線（４）によってうどんパック（８）を開封した（操作１）。次に、カレーパック（９）の襠（５）を広げ、カレーパック（９）をテーブルに立てた状態で、切込線（６）を用いてカレーパック（９）を開封した（操作２）。テーブルに立たせたカレーパック（９）の開口部を広げ、割り箸でうどんパック（８）からうどんを取り出し、カレーパック（９）の底に入れた（操作３）。カレーの中でうどんをほぐし、平らに整えた後、カレーパック（９）を支えながら切込線（７）を使ってカレーパック（９）の上部約４ｃｍの高さの部分を切り取った（操作４）。
図５は、操作１〜４における、うどんの動きを示す概略図である。図６は、操作４で切り取られたカレーパック（９）の上部を示す概略図である。図７は、完成したカレーうどんを示す概略図である。
同じ操作を、１０セットのレトルトカレーうどんセットで行った。操作１開始から操作４の終了までの時間は、平均２５秒であった。カレーがカレーパック（９）から漏れることは無かった。うどんがテーブルに落ちることは無かった。切込線（７）でカレーパック（９）の上部を切断した時に、手がカレーで汚れることはなかった。操作４の後、手を汚すことなくカレーうどんを食べることができた。
【００２３】
［比較例０］
うどんを実施例１で用いた襠つきのレトルトパウチ（２）に封入して襠つきのうどんパック（８’）を製造したこと以外は実施例１と同じ条件で、うどんパック（８’）、カレーパック（９）、割り箸（３）を用意した。このうどんパック（８’）、カレーパック（９）、割り箸と使い捨てスプーン（３）を、比較用容器兼食器付きレトルトカレーうどんセットとして利用した。
比較用レトルトカレーうどんセットの利用方法は、カレーパック（９）のカレーをうどんパック（８’）の中に移す点で、実施例１と異なっている。
すなわち、まず、うどんパック（８’）の襠（５）を広げ、うどんパック（８’）をテーブルに立てた状態で、切込線（６）を使ってうどんパック（８’）を開封し、うどんパック（８’）の開口部を広げた。次に、カレーパック（９）を切込線（６）で開封し、カレーパック（９）の開口部をうどんパック（８’）の開口部に差し込むようにして、カレーパック（９）の中のカレーを、うどんパック（８’）に注いだ。カレーパック（９）からカレーの全部をうどんパック（８’）の中に移し終わったら、カレーの中でうどんをほぐし、平らに整えた後、うどんパック（８’）を支えながら切込線（７）を使ってうどんパック（８’）の上部約４ｃｍの高さの部分を切り取った。
図８は、比較例１の操作を示す概略図である。
同じ操作を、１０セットの比較用レトルトカレーうどんセットで行った。うどんパック（８’）の襠（５）を広げてから、最後にうどんパック（８’）の上部約４ｃｍの高さの部分を切り取るまでの所要時間は、平均５０秒であった。１０セットのうちの５セットで、カレーを移す時にカレーがうどんパック（８’）の外に漏れた。１０セットのいずれでも、カレーがカレーパック（９）の内壁に付着していたので、スプーンで掻き出さなければならなかった。１０セットのうちの３セットで、カレーがうどんパック（８’）上部の内壁に付いていたため、最後に切込線（７）でうどんパック（８’）の上部を切断した時に手がカレーで汚れた。
【実施例２】
【００２４】
実施例１で製造した容器兼食器付きレトルトカレーうどんセットの利用に先立ち、うどんパック（８）とカレーパック（９）を湯煎した。湯煎終了後すぐに、熱いうどんパック（８）とカレーパック（９）を用いて、実施例と同じ操作１〜４によって、温かいカレーうどんを用意した。１０セットを同じ条件で利用した。
操作１開始から操作４の終了までの時間は、平均３０秒であった。カレーがカレーパック（９）から漏れることは無かった。うどんがテーブルに落ちることは無かった。切込線（７）でカレーパック（９）の上部を切断した時に、手がカレーで汚れることはなかった。操作４の後、手を汚すことなく温かいカレーうどんを食べることができた。
【００２５】
［比較例２］
比較例１で製造した比較用容器兼食器付きレトルトカレーうどんセットに先立ち、うどんパック（８’）とカレーパック（９）を湯煎した。湯煎終了後すぐに、熱いうどんパック（８’）とカレーパック（９）を用いて、比較例１と同じ操作によって、温かいカレーうどんを用意した。１０セットを比較例１と同じ条件で利用した。
うどんパック（８’）の襠（５）を広げてからカレーパック（９）の上部約４ｃｍの高さの部分を切り取るまでの所要時間は、平均１００秒であった。カレーパック（９）を手で傾けた時に熱いカレーで火傷をしないように注意したため、比較例１と比べて一層ゆっくり作業を行う必要があった。１０セットのうちの６セットで、カレーがカレーパック（９）の外に漏れた。１０セットのいずれでも、カレーがカレーパック（９）の内壁に付着していたので、スプーンで掻き出さなければならなかった。１０セットのうちの４セットで、カレーがうどんパック（８’）上部の内壁に付いていたため、切込線（７）でカレーパック（９）の上部を切断した時に手がカレーで汚れた。
【実施例３】
【００２６】
きつねうどんで本発明のレトルト食品を製造した。カレーの代わりにうどんのつゆと油揚をレトルトパウチ（２）に封入したことを除いて、実施例１と同じ条件を用いた。得られたうどんパック（８）、つゆパック（９）、割り箸（３）を、容器兼食器付きレトルトきつねうどんセットとして利用した。
まず、切込線（４）によってうどんパック（８）を開封した（操作１）。次に、つゆパック（９）の襠（５）を広げ、つゆパック（９）をテーブルに立てた状態で、切込線（６）を用いてつゆパック（９）を開封した（操作２）。テーブルに立たせたつゆパック（９）の開口部を広げ、割り箸でうどんパック（８）からうどんを取り出し、つゆパック（９）の底に入れた（操作３）。つゆと油揚げと共にうどんをほぐし、平らに整えた後、つゆパック（９）を支えながら切込線（７）を使ってつゆパック（９）の上部約４ｃｍの高さの部分を切り取った（操作４）。
同じ操作を、１０セットのレトルトきつねうどんセットで行った。操作１開始から操作４の終了までの時間は、平均２５秒であった。つゆがつゆパック（９）から漏れることは無かった。うどんがテーブルに落ちることは無かった。切込線（７）でつゆパック（９）の上部を切断した時に、手がつゆで汚れることはなかった。操作４の後、手を汚すことなくきつねうどんを食べることができた。
【００２７】
［比較例３］
カレーの代わりにうどんのつゆと油揚げを用いたことを除いて、比較例１と同様の条件でうどんパック（８’）とつゆパック（９）を製造し、比較用容器兼食器付きレトルトきつねうどんセットとして利用した。
まず、うどんパック（８’）の襠（５）を広げ、うどんパック（８’）をテーブルに立てた状態で、切込線（６）を使ってうどんパック（８’）を開封し、うどんパック（８’）の開口部を広げた。次に、つゆパック（９）を切込線（６）で開封し、つゆパック（９）の開口部をうどんパック（８’）の開口部に差し込むようにして、つゆパック（９）の中のつゆと油揚げをうどんパック（８’）に移した。油揚げがつゆパック（９）の内壁に付着している場合には、割り箸でつまんでうどんパック（８’）の中に移した。つゆと油揚げが全てうどんパック（９）に入った後、つゆの中でうどんをほぐし、平らに整えた後、うどんパック（８’）を支えながら切込線（７）を使ってうどんパック（８’）の上部約４ｃｍの高さの部分を切り取った。
同じ操作を、１０セットの比較用レトルトきつねうどんセッで行った。うどんパック（８’）の襠（５）を広げてから、最後にうどんパック（８’）の上部約４ｃｍの高さの部分を切り取るまでの所要時間は、平均４０秒であった。１０セットのうちの３セットで、つゆを移す時につゆがうどんパック（８’）の外に漏れた。１０セットのうちの２セットで、つゆパック（９）からつゆを出す際に油揚げがうどんパック（８’）の外に落ちた。１０セットのうちの８セットでは、つゆを出した後に油揚げがつゆパック（９）の内壁に付着したため、割り箸で油揚げをつまんでうどんパック（８’）に移す必要があった。
【産業上の利用可能性】
【００２８】
このように、流動性食品が入った襠付きの食品パック（９）の中に食品パック（８）の非流動性食品を移すことにより、素早く失敗無く、手を汚すことなく、流動性食品と非流動性食品を合わせることができる。食事の際に、綺麗な状態の食品パック（９）を料理の器として使用することができる。食品パック（９）は最終的に食事に適した高さに調節されるので、日常に近い状態で保存食を食べることができる。このため、保存食につきものの不快感を軽減できる。
本発明のレトルト食品用容器兼食器セットは、麺類だけでなく、パン、米飯のいずれかと副食との組み合わせからなる、日常食べ慣れた多くの料理にも利用することができる。このため、災害避難地や屋外などの特殊な環境下での食生活の質を向上することができる。本発明の容器兼食器付きレトルト食品セットは、防災備蓄品、旅行やスポーツ行事の携帯品、老人や子供が簡単に利用できる食料品として期待される。
また、本発明の容器兼食器付きレトルト食品セットは、幅広い人数に対応する単位で製造することができる。本発明の容器兼食器付きレトルト食品セットの使用方法に従えば、災害避難所で、大人数に簡単な操作で良質の食事を提供することができる。本発明の容器兼食器付きレトルト食品セットは個人向け食品としても、団体用給食サービスの道具としても、活用できる。
しかも本発明の容器兼食器付きレトルト食品セットは容器を安全に廃棄することができ、廃棄物の量を少なくすることができる。
【符号の説明】
【００２９】
本来見えない内容物を点線で示す。
１  本発明のレトルトパウチ（１）。
２  本発明のレトルトパウチ（２）。
３  食器（３）として用いた割り箸及び使い捨てスプーン。
４  レトルトパウチ（１）に設けた開封手段（４）である、切込線（４）。
５  レトルトパウチ（２）に設けた襠（５）である、舟形襠（５）。
６  レトルトパウチ（２）に設けた開封手段（６）である、切込線（６）。
７  レトルトパウチ（２）に設けた切断手段（７）である、切込線（７）。
８  本発明の食品パック（８）の例である、うどんパック（８）。
８’  比較用のレトルトパウチ（２）を用いたうどんパック（８’）。
９  本発明の食品パック（９）の例である、カレーパック（９）。
１０  本発明の容器（１０）の例。
１１  本発明の非流動食品である、うどん（１１）。
１２  本発明の流動性食品を含む食品である、カレー（１２）。
１３  本発明の操作４で切り取られた食品パック（２）の上部の例。
１４  紙製持ち手（１４）
１５  滑り止め加工
【図１】
2014073863.tif 000003
【図２】
2014073863.tif 000004
【図３】
2014073863.tif 000005
【図４】
2014073863.tif 000006
【図５】
2014073863.tif 000007
【図６】
2014073863.tif 000008
【図７】
2014073863.tif 000009
【図８】
2014073863.tif 000010
【図９】
2014073863.tif 000011
【図１０】
2014073863.tif 000012
【手続補正書】
【提出日】平成24年12月10日(2012.12.10)
【手続補正１】
【補正対象書類名】明細書
【補正対象項目名】０００６
【補正方法】変更
【補正の内容】
【０００６】
すなわち第１の本発明は、レトルトパウチ（１）、レトルトパウチ（２）、食器（３）を含むレトルト食品用容器兼食器セットであって、上記レトルトパウチ（１）は、非流動性食品のみを封入するためのものであり、上記レトルトパウチ（１）には密封後のレトルトパウチ（１）を開封するための開封手段（４）が設けられ、上記レトルトパウチ（２）は、流動性食品を含む食品を封入するためのものであり、しかも上記レトルト食品の喫食時の器として使用されるものであって、上記レトルトパウチ（２）の少なくとも底部に襠（５）が設けられ、さらに、上記レトルトパウチ（２）の上部には、密封後のレトルトパウチ（２）を開封するための開封手段（６）と、上記開封手段（６）よりも底部側に位置する切断手段（７）とが設けられていることを特徴とする、レトルト食品用容器兼食器セットである。
第２の本発明は、レトルトパウチ（１）に非流動性食品のみを封入した後にレトルト処理されたものである食品パック（８）、レトルトパウチ（２）に流動性食品を含む食品を封入した後にレトルト処理されたものである食品パック（９）、食器（３）を含む容器兼食器付きレトルト食品セットであって、上記食品パック（８）は、非流動性食品のみが封入されたものであり、上記食品パック（８）には開封手段（４）が設けられ、上記食品パック（９）は、流動性食品を含む食品が封入されたものであり、しかも上記レトルト食品の喫食時の器として使用されるものであって、上記食品パック（９）の少なくとも底部に襠（５）が設けられ、さらに、上記食品パック（９）の上部には、開封手段（６）と、上記開封手段（６）よりも底部側に位置する切断手段（７）とが設けられていることを特徴とする、容器兼食器付きレトルト食品セットである。
第３の本発明は、上記容器兼食器付きレトルト食品セットを一つの容器（１０）に収納したことを特徴とする、容器兼食器付きレトルト食品である。
第４の本発明は、レトルトパウチ（１）に非流動性食品のみを封入した後にレトルト処理されたものである食品パック（８）、レトルトパウチ（２）に流動性食品を含む食品を封入した後にレトルト処理されたものである食品パック（９）、食器（３）を含む容器兼食器付きレトルト食品セットの使用方法であって、上記食品パック（８）は、非流動性食品のみが封入されたものであり、上記食品パック（８）には開封手段（４）が設けられ、上記食品パック（９）は、流動性食品を含む食品が封入されたものであり、しかも上記レトルト食品の喫食時の器として使用されるものであって、上記食品パック（９）の少なくとも底部に襠（５）が設けられ、さらに、上記食品パック（９）の上部には、開封手段（６）と、上記開封手段（６）よりも底部側に位置する切断手段（７）とが設けられ、以下の操作を含むことを特徴とする、容器兼食器付きレトルト食品セットの使用方法；操作１：食品パック（８）を開封手段（４）によって開封する。操作２：食品パック（９）の襠（５）を広げ、次いで食品パック（９）を開封手段（６）によって開封する。操作３：操作１で開封された食品パック（８）内の非流動性食品を、操作２で開封された食品パック（９）内に移す。操作４：操作３を終えた食品パック（９）の上部を、切断手段（７）によって切り取る、である。
第５の本発明は、上記容器兼食器付きレトルト食品セットの使用方法を含む、食事提供方法である。
【手続補正２】
【補正対象書類名】明細書
【補正対象項目名】００１３
【補正方法】変更
【補正の内容】
【００１３】
［食品パック（８）］
レトルトパック（１）に非流動性食品のみを封入してレトルト処理することにより、本発明の食品パック（８）が得られる。非流動性食品は、調理済みの固形状の主食であり、一般的には調理済みの麺類、パン、米飯類であり、レトルト食品を用いて提供するレトルト料理に応じて選択される。例えばうどん料理を提供する場合には、食品パック（８）に蒸しうどんを封入する。例えばパスタ料理を提供する場合には、食品パック（８）に茹で上げたパスタを封入する。非流動性食品の封入におけるレトルトパック（１）の密封方法は、公知の方法で行う。一般的にはヒートシールする。
レトルト処理は、非流動性食品の風味を損なわず、かつ、非流動性食品を長期保存が可能となるような殺菌が達成される条件で行う。例えばうどん、パンの場合には、８５〜９８℃で加熱し、次いで冷暗所に静置し、さらに１１５〜１２５℃で加熱すると、うどんやパンの風味を損なうことなく滅菌できる。
【手続補正３】
【補正対象書類名】明細書
【補正対象項目名】００２１
【補正方法】変更
【補正の内容】
【００２１】
（レトルトパウチ（１）、レトルトパウチ（２）、食器（３））
一食分の蒸しうどんが入る大きさの、襠のない縦約２２ｃｍ、横約１８ｃｍのレトルトパウチ（１）を用意した。レトルトパウチ（１）の両側の幅約１ｃｍのシール部に、開封手段（４）として長さ約０．５ｃｍの切込線（４）を設けた。図１は上記レトルトパウチ（１）を正面から見た概略図である。
一食分のカレーつゆが入る大きさの、底に最大幅約６ｃｍの舟形襠（５）がついた、縦約２２ｃｍ、横約１８ｃｍのレトルトパウチ（２）を用意した。レトルトパウチ（２）の両側のシール部に、切込線（４）と同様の切込線（６）を開封手段（６）として設けた。開封手段（６）よりも約４ｃｍ底側に、切込線（４）、切込線（６）と同様の切込線（７）を、切断手段（７）として設けた。図２は上記レトルトパウチ（２）の概略図であって、（ａ）は正面図、（ｂ）は側面図である。点線部は実際には見えない線を透視したものである。
食器（３）として割り箸と使い捨てスプーンを用意した。
こうして得られたレトルトパウチ（１）、レトルトパウチ（２）、食器（３）を、レトルトカレーうどん用容器兼食器セットとして用いた。
（うどんパック（８）の製造）
うどんの材料を以下に示す。
・小麦粉：市販のうどん粉
・塩：食用塩
・水：水道水
・こんにゃく粉：市販のマンナン粉。凝固剤として貝殻焼成カルシウムが配合されたもの。
・植物性食用油：市販のサラダ油
・カラギーナン（増粘多糖）：市販品
・タピオカ粉：市販品
上記材料を混練し、定法に従って製麺して、生うどんを製造した。この生うどんを茹で、冷水で十分に洗って冷却し、水切りした。水切りした麺を小分けして、図１に示すレトルトパウチ（１）に入れて、開口部をヒートシールにより密閉した。このレトルトパウチ（１）を、温度を９４℃に保った蒸気室内で、３５分加熱した。そして、麺を収納したレトルトパウチ（１）を蒸気室から取りだし、１晩冷暗所に静置した。最後に、麺を収納したレトルトパウチを、温度を１２１℃に保ったレトルト窯で、４分間加熱した。こうして、うどんパック（８）が完成した。図３は上記うどんパック（８）の概略図であって、（ａ）は正面図、（ｂ）は側面図である。
【手続補正４】
【補正対象書類名】明細書
【補正対象項目名】００２３
【補正方法】変更
【補正の内容】
【００２３】
［比較例１］
うどんを実施例１で用いた襠つきのレトルトパウチ（２）に封入して襠つきのうどんパック（８’）を製造したこと以外は実施例１と同じ条件で、うどんパック（８’）、カレーパック（９）、割り箸（３）を用意した。このうどんパック（８’）、カレーパック（９）、割り箸と使い捨てスプーン（３）を、比較用容器兼食器付きレトルトカレーうどんセットとして利用した。
比較用レトルトカレーうどんセットの利用方法は、カレーパック（９）のカレーをうどんパック（８’）の中に移す点で、実施例１と異なっている。
すなわち、まず、うどんパック（８’）の襠（５）を広げ、うどんパック（８’）をテーブルに立てた状態で、切込線（６）を使ってうどんパック（８’）を開封し、うどんパック（８’）の開口部を広げた。次に、カレーパック（９）を切込線（６）で開封し、カレーパック（９）の開口部をうどんパック（８’）の開口部に差し込むようにして、カレーパック（９）の中のカレーを、うどんパック（８’）に注いだ。カレーパック（９）からカレーの全部をうどんパック（８’）の中に移し終わったら、カレーの中でうどんをほぐし、平らに整えた後、うどんパック（８’）を支えながら切込線（７）を使ってうどんパック（８’）の上部約４ｃｍの高さの部分を切り取った。
図８は、比較例１の操作を示す概略図である。
同じ操作を、１０セットの比較用レトルトカレーうどんセットで行った。うどんパック（８’）の襠（５）を広げてから、最後にうどんパック（８’）の上部約４ｃｍの高さの部分を切り取るまでの所要時間は、平均５０秒であった。１０セットのうちの５セットで、カレーを移す時にカレーがうどんパック（８’）の外に漏れた。１０セットのいずれでも、カレーがカレーパック（９）の内壁に付着していたので、スプーンで掻き出さなければならなかった。１０セットのうちの３セットで、カレーがうどんパック（８’）上部の内壁に付いていたため、最後に切込線（７）でうどんパック（８’）の上部を切断した時に手がカレーで汚れた。
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
レトルトパウチ（１）に非流動性食品のみを封入した後にレトルト処理されたものである食品パック（８）、レトルトパウチ（２）に流動性食品を含む食品を封入した後にレトルト処理されたものである食品パック（９）、食器（３）を含む容器兼食器付きレトルト食品セットであって、
上記食品パック（８）は、非流動性食品のみが封入されたものであり、上記食品パック（８）には開封手段（４）が設けられ、
上記食品パック（９）は、流動性食品を含む食品が封入されたものであり、しかも上記レトルト食品の喫食時の器として使用されるものであって、上記食品パック（９）の少なくとも底部に襠（５）が設けられ、さらに、上記食品パック（９）の上部には、開封手段（６）と、上記開封手段（６）よりも底部側に位置する切断手段（７）とが設けられていること、
上記非流動性食品がうどんまたはパンであり、上記レトルト処理が、８５〜９８℃で加熱し、次いで冷暗所に静置し、さらに１１５〜１２５℃で加熱する処理であること、
を特徴とする、
容器兼食器付きレトルト食品セット。
【請求項２】
請求項１に記載の容器兼食器付きレトルト食品セットを一つの容器（１０）に収納したことを特徴とする、容器兼食器付きレトルト食品。
【請求項３】
レトルトパウチ（１）に非流動性食品のみを封入した後にレトルト処理されたものである食品パック（８）、レトルトパウチ（２）に流動性食品を含む食品を封入した後にレトルト処理されたものである食品パック（９）、食器（３）を含む容器兼食器付きレトルト食品セットの使用方法であって、
上記食品パック（８）は、非流動性食品のみが封入されたものであり、上記食品パック（８）には開封手段（４）が設けられ、
上記食品パック（９）は、流動性食品を含む食品が封入されたものであり、しかも上記レトルト食品の喫食時の器として使用されるものであって、上記食品パック（９）の少なくとも底部に襠（５）が設けられ、さらに、上記食品パック（９）の上部には、開封手段（６）と、上記開封手段（６）よりも底部側に位置する切断手段（７）とが設けられ、
上記非流動性食品がうどんまたはパンであり、上記レトルト処理が、８５〜９８℃で加熱し、次いで冷暗所に静置し、さらに１１５〜１２５℃で加熱する処理であり、
以下の操作を含むことを特徴とする、容器兼食器付きレトルト食品セットの使用方法。
操作１：食品パック（８）を開封手段（４）によって開封する。
操作２：食品パック（９）の襠（５）を広げ、次いで食品パック（９）を開封手段（６）によって開封する。
操作３：操作１で開封された食品パック（８）内の非流動性食品を、操作２で開封された食品パック（９）内に移す。
操作４：操作３を終えた食品パック（９）の上部を、切断手段（７）によって切り取る。
【請求項４】
請求項３に記載の使用方法を含む、給食方法。
【手続補正２】
【補正対象書類名】明細書
【補正対象項目名】０００６
【補正方法】変更
【補正の内容】
【０００６】
すなわち第１の本発明は、レトルトパウチ（１）に非流動性食品のみを封入した後にレトルト処理されたものである食品パック（８）、レトルトパウチ（２）に流動性食品を含む食品を封入した後にレトルト処理されたものである食品パック（９）、食器（３）を含む容器兼食器付きレトルト食品セットであって、
上記食品パック（８）は、非流動性食品のみが封入されたものであり、上記食品パック（８）には開封手段（４）が設けられ、
上記食品パック（９）は、流動性食品を含む食品が封入されたものであり、しかも上記レトルト食品の喫食時の器として使用されるものであって、上記食品パック（９）の少なくとも底部に襠（５）が設けられ、さらに、上記食品パック（９）の上部には、開封手段（６）と、上記開封手段（６）よりも底部側に位置する切断手段（７）とが設けられていること、
上記非流動性食品がうどんまたはパンであり、上記レトルト処理が、８５〜９８℃で加熱し、次いで冷暗所に静置し、さらに１１５〜１２５℃で加熱する処理であること、
を特徴とする、
容器兼食器付きレトルト食品セットである。
第２の本発明は、上記容器兼食器付きレトルト食品セットを一つの容器（１０）に収納したことを特徴とする、容器兼食器付きレトルト食品である。
第３の本発明は、レトルトパウチ（１）に非流動性食品のみを封入した後にレトルト処理されたものである食品パック（８）、レトルトパウチ（２）に流動性食品を含む食品を封入した後にレトルト処理されたものである食品パック（９）、食器（３）を含む容器兼食器付きレトルト食品セットの使用方法であって、
上記食品パック（８）は、非流動性食品のみが封入されたものであり、上記食品パック（８）には開封手段（４）が設けられ、
上記食品パック（９）は、流動性食品を含む食品が封入されたものであり、しかも上記レトルト食品の喫食時の器として使用されるものであって、上記食品パック（９）の少なくとも底部に襠（５）が設けられ、さらに、上記食品パック（９）の上部には、開封手段（６）と、上記開封手段（６）よりも底部側に位置する切断手段（７）とが設けられ、
上記非流動性食品がうどんまたはパンであり、上記レトルト処理が、８５〜９８℃で加熱し、次いで冷暗所に静置し、さらに１１５〜１２５℃で加熱する処理であり、
以下の操作を含むことを特徴とする、容器兼食器付きレトルト食品セットの使用方法。
操作１：食品パック（８）を開封手段（４）によって開封する。
操作２：食品パック（９）の襠（５）を広げ、次いで食品パック（９）を開封手段（６）によって開封する。
操作３：操作１で開封された食品パック（８）内の非流動性食品を、操作２で開封された食品パック（９）内に移す。
操作４：操作３を終えた食品パック（９）の上部を、切断手段（７）によって切り取る、
である。
第４の本発明は、上記容器兼食器付きレトルト食品セットの使用方法を含む、食事提供方法である。